(57)【要約】【目的】  部屋あるいは住宅空間全体にわたって効果的に空気を浄化し、室内の換気をも行う空気浄化換気設備を提供する。【構成】  静電霧化装置（２）、給気装置（１）、排気装置（４）および誘引装置（５）を備え、静電霧化装置（２）により空気浄化空間内に液体を霧化させて帯電微粒子水（３）を発生させ、給気装置（１）により空気浄化空間内に外気を導入し、排気装置（４）により空気浄化空間内の空気を同空間から排出させ、誘引装置（５）により空気浄化空間内の帯電微粒子水（３）を誘引するようにした空気浄化換気設備であって、誘引装置（５）は帯電微粒子水（３）と異なる極性が帯電されているものとする。【選択図】図１
2005233588.tif 000002
【特許請求の範囲】
【請求項１】
静電霧化装置、給気装置、排気装置および誘引装置を備え、静電霧化装置により空気浄化空間内に液体を霧化させて帯電微粒子水を発生させ、給気装置により空気浄化空間内に外気を導入し、排気装置により空気浄化空間内の空気を同空間から排出させ、誘引装置により空気浄化空間内の帯電微粒子水を誘引するようにした空気浄化換気設備であって、誘引装置は帯電微粒子水と異なる極性が帯電されていることを特徴とする空気浄化換気設備。
【請求項２】
静電霧化装置が給気装置の近傍に、または給気装置と一体化されて配設されていることを特徴とする請求項１に記載の空気浄化換気設備。
【請求項３】
誘引装置が排気装置の近傍に、または排気装置と一体化されて配設されていることを特徴とする請求項１または２に記載の空気浄化換気設備。
【請求項４】
誘引装置が空気浄化空間内の複数箇所に配置されていることを特徴とする請求項１ないし３のいずれかに記載の空気浄化換気設備。
【発明の詳細な説明】
【技術分野】
【０００１】
この出願の発明は、空気浄化換気設備に関するものである。さらに詳しくは、この出願の発明は、静電霧化装置を有する空気浄化換気設備に関するものである。
【背景技術】
【０００２】
近年、居住環境の改善による健康で快適な生活への要求が高まり、とりわけ、住居等の断熱、密閉性が向上するにともなって、屋内の換気、室内空気の浄化が注目されている。屋内の換気については、健康で快適な空気環境を創造するために、住宅全体に空気の流れを作り出すことで、カビやダニの発生をおさえ、結露の原因となる湿気や、建材・家具などから発生するホルムアルデヒトや揮発性有機化合物を排出される。
【０００３】
また、空気浄化については、屋内空気の汚れ、ダニの発生、屋外からの花粉等に起因するアレルギーの発症との関連からも特に注目されており、これまで、屋内のゴミ、ダニ、花粉等の粉塵や臭気等を除去する手段として様々な方式の空気清浄機が開発され、実用に供されてきている。この空気清浄機の集塵除去機能、脱臭機能としては、いわゆるフィルタ方式になっており、集塵除去機能については十分実用に供するものであるが、脱臭機能については十分満足できる性能を発揮していないのが現状である。このため、衣類、壁、家具等に臭い物質が付着すると、上記の空気清浄機では除去することが困難であった。
【０００４】
そこで、これを解決する方法として、静電霧化手段を備えた空気清浄機（特許文献１）が開発されている。ここで、静電霧化とは、水等の液体を高電圧に印可することで水が霧化するものである。そして、霧化で発生した帯電微粒子水によって、室内壁面等に付着した臭いを除去するものである。さらに、この静電霧化装置を備えた空気清浄機によれば、菌、ウィルスも除去することが可能である。
【０００５】
そして、静電霧化装置から発生した帯電微粒子水は同極に帯電しているため、斥力によって広い範囲にわたり噴霧される。このため、この静電霧化装置を備えた空気清浄機によれば広い範囲にわたって臭い、菌、ウィルスが除去される。
【特許文献１】特開２００３−０７９７１４号公報
【発明の開示】
【発明が解決しようとする課題】
【０００６】
しかしながら、上記の静電霧化装置から発生した帯電微粒子水は斥力によって広い範囲にわたり部屋空間内を噴霧することができるものであるが、汚染物質以外に静電霧化装置の近傍に帯電微粒子水と異なる極性の物質が存在した場合には、その物質に帯電微粒子水が誘引されてしまい、帯電微粒子水が部屋空間内において効果的に噴霧されることができなくなる。このため、帯電微粒子水の効果が部屋空間全体に及ばず、部屋空間の全体にわたって臭いや、菌、ウィルスを効果的に除去することが難しくなるという問題があった。
【０００７】
そこで、この出願の発明は、以上の通りの背景から、空気浄化が必要とされる部屋あるいは住宅空間の全体にわたって効果的に空気を浄化し、室内の換気をも行うことのできる空気浄化換気設備を提供することを課題としている。
【課題を解決するための手段】
【０００８】
この出願の発明は、上記の課題を解決するものとして、第１には、静電霧化装置、給気装置、排気装置および誘引装置を備え、静電霧化装置により空気浄化空間内に液体を霧化させて帯電微粒子水を発生させ、給気装置により空気浄化空間内に外気を導入し、排気装置により空気浄化空間内の空気を同空間から排出させ、誘引装置により空気浄化空間内の帯電微粒子水を誘引するようにした空気浄化換気設備であって、誘引装置は帯電微粒子水と異なる極性が帯電されていることを特徴とする空気浄化換気設備を提供する。
【０００９】
第２には、静電霧化装置が給気装置の近傍に、または給気装置と一体化されて配設されていることを特徴とする空気浄化換気設備を提供する。
【００１０】
また、この出願の発明は、第３には、誘引装置が排気装置の近傍に、または排気装置と一体化されて配設されていることを特徴とする空気浄化換気設備を提供する。
【００１１】
第４には、誘引装置が空気浄化空間内の複数箇所に配置されていることを特徴とする空気浄化換気設備を提供する。
【発明の効果】
【００１２】
この出願の発明の第１の空気浄化換気設備によれば、空気浄化が必要とされる部屋あるいは住宅空間全体にわたって効果的に空気を浄化し、室内の換気をも行う空気浄化換気設備が提供される。
【００１３】
この出願の発明の第２の空気浄化換気設備によれば、帯電微粒子水はより効果的に空気浄化空間内に拡散される。
【００１４】
この出願の発明の第３の空気浄化換気設備によれば、空気の流れとともに帯電微粒子水は排気口まで効率的に誘引される。
【００１５】
この出願の発明の第４の空気浄化換気設備によれば、帯電微粒子水はさらに効率よく空気浄化空間内に拡散される。
【発明を実施するための最良の形態】
【００１６】
この出願の発明は、上記のとおりの特徴をもつものであるが、以下、さらに詳しく発明の実施の形態について説明する。
【００１７】
図１は、この出願の発明の空気浄化換気設備を模式的に例示した縦断面図である。図１に沿って説明すると、たとえば室内壁面には給気装置（１）が設けられており、この給気装置（１）によって外気が空気浄化が必要とされる空気浄化空間内に取り込まれる。この場合、給気装置（１）には給気ファンが設けられていてもよい。そして、図１の例では、給気装置（１）と静電霧化装置（２）が一体化されて配設されている。
【００１８】
もちろん、この出願の発明の空気浄化換気設備では、静電霧化装置（２）は、給気装置（１）の近傍に別体として配設されてもよく、この場合、給気装置（１）により取り込まれた空気の流れによって静電霧化装置（２）から発生した帯電微粒子水（３）が空気浄化空間内に噴霧され拡散し、空気が浄化される。
【００１９】
いずれの場合であっても、空気浄化空間内の空気は屋外に連通する排気装置（４）によって屋外に送り出され、空気浄化空間内の空気が換気されることになる。排気装置（４）には、排気ファンを設けてあってもよく、この場合には空気浄化空間の空気の流れを確実なものとし、換気のより効果的な実効を図ることができる。
【００２０】
そして、この出願の発明の空気浄化換気設備では、帯電微粒子水（３）と異なる極性に帯電された帯電微粒子水（３）の誘引装置（５）が配設される。この誘引装置（５）は、好適には、図１に例示したように排気装置（４）と一体化して配設することも、あるいは別体として近傍に配置することができる。いずれの場合も、誘引装置（５）の誘引作用によって、空気浄化空間内に拡散された帯電微粒子水（３）は排気装置（４）まで誘引されることになり、空気浄化空間全体の空気の浄化が効率よく行われることになる。
【００２１】
図２は、この出願の発明の空気浄化換気設備の別の実施形態を模式的に例示した横断面図である。この図２には、帯電微粒子水（３）の空気浄化空間内の横方向への拡散が示されている。すなわち、この図２に例示したように、たとえば、複数の誘引装置（５）は、給気装置（１）から離れて空気浄化空間内の隅３箇所周辺の各々異なる箇所、たとえば天井や壁面等に設けられてよい。空気浄化空間内に給気装置（１）と静電霧化装置（２）、そして排気装置（４）とともに、複数の家具（６）が配置されている場合であっても、誘引装置（５）が空気浄化空間内の隅に設けられていることによって、静電霧化装置（２）から発生した帯電微粒子水（３）の拡散が家具（６）の存在によって妨げられることはなく、誘引装置（５）によって誘引されることになる。家具（６）裏側では空気の対流がおこりにくくカビが発生しやすいが、たとえば図２のように誘引装置（５）の適宜な設置によって、家具（６）裏側まで帯電微粒子水（３）が拡散されることになり、カビの発生等の不都合が生じることを抑えることができる。このような誘引装置（５）の配置によって、帯電微粒子水（３）は空気浄化空間内に効果的に拡散されることになり、空気浄化空間の空気を効率よく浄化することができる。そして、給気装置（１）によって空気浄化空間外から導入された外気は、排気装置（４）によって空気浄化空間から排気されて空気浄化空間内の空気が換気されることになる。
【００２２】
静電霧化装置（２）としては、たとえば図３に示した構成のものが例示される。静電霧化装置（２）は、液体（７）を溜める液溜め部（８）と、液溜め部の液体（７）を霧化する霧化手段（９）と、霧化手段（９）によって霧化された帯電微粒子水（３）を搬送する搬送手段（１０）とを備えている。そしてこの静電霧化装置（２）では、霧化手段（９）によって、たとえば水に高電圧にかけることによって、水が次々と分裂し超微細な帯電微粒子水（３）が発生する。静電霧化された帯電微粒子水（３）には斥力が働くため、これを広範囲にわたって噴霧することができる。そして帯電微粒子水（３）は粒子径がナノサイズであり、かつ強い電荷量を持っているもので、ウィルスや菌の不活性化、脱臭、カビの除去やカビの防止に有効である。また、水以外の液体（７）としては、過酸化水素水、オゾン水、消臭液等の酸化作用を有するものや、水に界面活性剤、殺菌剤、抗ウィルス剤を分散させたものであってもよい。以上のような帯電微粒子水（３）によって、空気浄化空間内壁面等に付着した臭い、菌、ウィルスを効果的に除去することが可能とされる。また、静電霧化装置（２）においては、直流のマイナス電圧印加で静電霧化させた場合には、帯電微粒子水（３）がマイナスに帯電することになり、マイナスイオンの効果が期待できる。
【００２３】
図４には、排気装置（４）と一体化して配設された誘引装置（５）の例を模式的に示したものである。この図４によれば、誘引装置（５）は、排気口（１１）を備えた内枠（１２）と外枠（１３）、絶縁性部材（１４）とを有し、絶縁性部材（１４）は内枠（１２）と外枠（１３）の間に設けられている。内枠（１２）と外枠（１３）はそれぞれ導電性を有しており、材質としては鉄や銅などが例示されるが、導電性を有するものであればこれらに限定されない。絶縁性部材（１４）の材質としてはガイシが例示されるが、絶縁性を有するのもであればこれに限定されることはない。また、外枠は接地されており、内枠はスイッチ（１５）と導線で接続されていて、スイッチ（１５）は正高電圧電源（１６）と負高電圧電源（１７）と除電装置（１８）と切換えられるようになっている。そして、正高電圧電源（１６）と負高電圧電源（１７）と除電装置（１８）は接地されている。
【００２４】
ここで、スイッチ（１５）を正高電圧電源（１６）に切換えることで内枠（１２）に電圧がかかり、内外枠の間がコンデンサのようになってプラスに帯電される。これによってマイナスに帯電された帯電微粒子水（３）を誘引することができる。プラスに帯電された帯電微粒子水（３）を誘引する場合には、一度スイッチ（１５）を除電装置（１８）に切換えて誘引装置（５）を除電した後、スイッチ（１５）を負高電圧電源（１７）に切換えて誘引装置（５）をマイナスに帯電させることで、プラスに帯電された帯電微粒子水（３）を誘引することができる。
【００２５】
図５は、誘引装置（５）の別の例を示した模式図である。この図５によれば、壁（Ａ）に誘引装置（５）が設置されている。そして、この誘引装置（５）は壁面側から順に導電性部材（１９）、絶縁性部材（１４）、導電性部材（１９）が配置され構成されている。壁面側の導電性部材（１９）は接地されており、空気浄化空間側のもう一つの導電性部材（１９）はスイッチ（１５）と導線で接続されており、スイッチ（１５）は正高電圧電源（１６）と負高電圧電源（１７）と除電装置（１８）と切換えられるようになっている。そして、正高電圧電源（１６）と負高電圧電源（１７）と除電装置（１８）は接地されている。なお、導電性部材（１９）の材質としては、鉄や銅などが例示されるが、導電性を有するものであればこれらに限定されない。また、絶縁性部材（１４）の材質としてはガイシが例示されるが、絶縁性を有するのもであればこれに限定されることはない。
【００２６】
ここで、スイッチ（１５）を正高電圧電源（１６）に切換えることで空気浄化空間側の導電性部材（１９）に電圧がかかり、それぞれの導電性部材（１９）の間がコンデンサのようになってプラスに帯電される。これによってマイナスに帯電された帯電微粒子水（３）を誘引することができる。プラスに帯電された帯電微粒子水（３）を誘引する場合には、一度スイッチ（１５）を除電装置（１８）に切換えて誘引装置（５）を除電した後、スイッチ（１５）を負高電圧電源（１７）に切換えて誘引装置（５）をマイナスに帯電させることで、プラスに帯電された帯電微粒子水（３）を誘引することができる。
【００２７】
上述した誘引装置（５）は一例であり、細部については様々な態様が可能である。また、装置が帯電される手段を有していれば上述した例に限定されることはない。
【００２８】
たとえば以上のような誘引装置（５）は、壁面以外にも、床や天井等に設けてもよい。たとえば、給気装置（１）と静電霧化装置（２）を部屋壁面の中央部付近に、誘引装置（５）を部屋中央部の天井に設け、そして排気装置（４）と誘引装置（５）を部屋壁面の下部に設けた場合には、天井に設けられた誘引装置（５）や、排気装置（４）やその近傍に設けられた誘引装置（５）によって、帯電微粒子水（３）は、アップストリームやダウンストリームによって部屋内に拡散されることになり、部屋全体を効率よく浄化することができる。また、空気の流れは、給気装置（１）や排気装置（４）によるほか、空気浄化空間上部と下部の温度差による空気の対流によっても帯電微粒子水（３）は効率よく空気浄化空間全体に拡散されることになる。
【００２９】
給気装置（１）、排気装置（４）、誘引装置（５）さらには静電霧化装置（２）の備え付けられる位置は、用途に応じて適宜設定されることになる。
【００３０】
この出願の発明は以上の例に限定されるものではなく、細部については様々な態様が可能であることは言うまでもない。
【図面の簡単な説明】
【００３１】
【図１】この出願の発明の空気浄化換気設備を模式的に例示した縦断面図である。
【図２】この出願の発明の空気浄化換気設備の別の実施形態を模式的に例示した横断面図である。
【図３】この出願の発明の静電霧化装置を模式的に例示した図である。
【図４】この出願の発明の排気装置と一体化して配設された誘引装置を模式的に例示した図である。
【図５】この出願の発明の誘引装置を模式的に例示した図である。
【符号の説明】
【００３２】
１  給気装置
２  静電霧化装置
３  帯電微粒子水
４  排気装置
５  誘引装置
６  家具
７  液体
８  液溜め部
９  霧化手段
１０  搬送手段
１１  排気口
１２  内枠
１３  外枠
１４  絶縁性部材
１５  スイッチ
１６  正高電圧電源
１７  負高電圧電源
１８  除電装置
１９  導電性部材
Ａ  壁
【図１】
2005233588.tif 000003
【図２】
2005233588.tif 000004
【図３】
2005233588.tif 000005
【図４】
2005233588.tif 000006
【図５】
2005233588.tif 000007